(57)【特許請求の範囲】
【請求項１】
敷地間口の空間を隔てて立設される左右一対の支柱と、前記支柱間に形成される出入口を開閉する門扉とを有する門扉構造であって、
前記支柱には、前記門扉の上端よりも上方へと突出した突出部が設けられると共に、
前記支柱のうち少なくとも一方における前記突出部には、前記突出部同士が互いに対面する内側表面に、平面広角ミラーが高さ調整可能にて添着されていることを特徴とする門扉構造。
【請求項２】
前記支柱の突出部における内側表面の幅方向両端部には、前記平面広角ミラーの左右両辺部がそれぞれ嵌め込まれ、該平面広角ミラーの上下移動を案内するＬ字条係止片が設けられていることを特徴とする請求項１に記載の門扉構造。
【発明の詳細な説明】
【技術分野】
【０００１】
本発明は、住宅等の敷地間口等に設置される門扉構造に関する。
【背景技術】
【０００２】
従来より、住宅等における敷地の境界には外構が設けられているが、この外構の一部として、例えば駐車スペースへの出入口や玄関口などになる敷地間口には、左右一対の支柱と、当該支柱間に形成される出入口を開閉する門扉とで構成された門扉構造が設けられている。
【０００３】
ここで、都市部においては、車一台程度がやっと収まる幅の駐車スペースしか確保できない場合が多々あるが、このような狭小な駐車スペースの出入口に門扉構造を設けた場合、駐車スペースから車を出し入れする際に死角が多くなり不安全な状態となり易い。このため、駐車スペースへの車の出し入れを慎重に行わなければならず、車の出し入れに時間がかかると共に、その際の運転にかなり神経を使わなければならなかった。
【０００４】
そこで、係る問題を解消すべく、従来の門扉構造(より具体的には支柱)に、特許文献１に記載されたような取付け具を用い、凸面鏡からなる鏡体の反射により直接見えない所を見通し得るようにした安全確認ミラーを取り付ける技術が知られている。このような安全確認ミラーを用いれば、駐車スペース出入口の死角をなくして、車の出し入れを安全且つスピーディにすることができるようになる。
【先行技術文献】
【特許文献】
【０００５】
【特許文献１】登録実用新案第３００７００２号公報
【発明の概要】
【発明が解決しようとする課題】
【０００６】
しかしながら、上述のような安全確認ミラーを門扉構造に後付けした場合、当該ミラーの出っ張りで門扉構造全体の見栄えが悪くなるのみならず、このような出っ張りの分だけ駐車スペースの出入口が狭くなって車の出し入れに不便を来たすようになると云う問題があった。更に、出入口近傍で出っ張った安全確認ミラーに人や車がぶつかって、(人が)怪我をしたり(車やミラーが)傷付いたりするようになると云う問題もあった。
【０００７】
それゆえに、本発明の主たる課題は、意匠性に優れ見栄えを損なうことなく死角を効果的に無くすことができると共に、出入の際に妨げとならず人の怪我や車の傷付き等の原因が生じることのない死角解消手段を備えた門扉構造を提供することである。
【課題を解決するための手段】
【０００８】
「請求項１」に記載した発明は、
（ａ）敷地間口の空間を隔てて立設される左右一対の支柱１２，１４と、前記支柱１２，１４間に形成される出入口Ｅを開閉する門扉１６とを有する門扉構造１０であって、
（ｂ）前記支柱１２，１４には、前記門扉１６の上端よりも上方へと突出した突出部２２が設けられると共に、
（ｃ）前記支柱１２，１４のうち少なくとも一方における前記突出部２２には、前記突出部２２同士が互いに対面する内側表面に、平面広角ミラーＭが高さ調整可能にて添着されている
（ｄ）ことを特徴とする門扉構造１０、である。
【０００９】
この発明では、支柱１２，１４の突出部２２の内側表面に平面広角ミラーＭが、高さ調整可能にて添着されているので、支柱１２，１４間に形成された出入口Ｅを通過する際の視線の高さに合わせて平面広角ミラーＭの設置高さを調整することができ、出入口Ｅを通過する際の死角をより確実に解消することができる。
【００１０】
また、死角解消手段である平面広角ミラーＭは、支柱１２，１４における突出部２２の内側表面に添着されている、つまり、平面広角ミラーＭが支柱１２，１４の表面から不必要に出っ張るのが抑えられているので、門扉構造１０の見栄えを損なうことがなく、又、人や車などが不所望にこの平面広角ミラーＭに触れて怪我したり傷付いたりするのを防止することができる。特に、「請求項２」に記載したように「前記支柱１２，１４の突出部２２における内側表面の幅方向両端部には、前記平面広角ミラーＭの左右両辺部がそれぞれ嵌め込まれ、該平面広角ミラーＭの上下移動を案内するＬ字条係止片２４が設けられ」るようにすれば、平面広角ミラーＭと支柱１２，１４とを一体化させることができるので、より一層意匠性に優れたものとなるのに加え、出入口Ｅを通過する人や車等のみならず平面広角ミラーＭ自体も人や車等がぶつかって破損しないように保護することができる。
【００１１】
なお、本発明における「平面広角ミラー」とは、平面状でありながら凸面鏡のように広範囲(広角)の像を映し出すことができるミラー(鏡部材)のことを云い、その一例として、透明で且つ平坦なアクリル樹脂やポリカーボネート樹脂と云ったプラスチックからなる平板或いはシートの一方の面にフレネルレンズ構造を形成し、当該面の表面に金属薄膜層を形成して得た物を挙げることができる。
【発明の効果】
【００１２】
本発明によれば、意匠性に優れ見栄えを損なうことなく死角を効果的に無くすことができると共に、出入の際に妨げとならず人の怪我や車の傷付き等の原因が生じることのない死角解消手段を備えた門扉構造を提供することができる。
【図面の簡単な説明】
【００１３】
【図１】本発明の一実施例の門扉構造を示す正面図である。
【図２】本発明に用いられる支柱の一例を示す正面図である。
【図３】図２におけるＡ−Ａ断面図である。
【発明を実施するための形態】
【００１４】
以下、本発明を図示実施例に従って詳述する。図１は、本発明における一実施例の門扉構造１０を示す正面図である。この図が示すように、本実施例の門扉構造１０は、左右一対の支柱１２，１４、門扉１６及び平面広角ミラーＭで大略構成されている。
【００１５】
支柱１２，１４は、敷地間口の空間を隔てて立設される左右一対の柱で、図１に示すように、戸当り側の支柱１２と吊元側の支柱１４との間には、敷地内への出入口Ｅが形成されている。
【００１６】
本実施例では、図１〜３に示すように、この支柱１２，１４が、アルミニウム合金等の金属材料で形成された一組の中空長尺状の柱部材１８と、同じくアルミニウム合金等の金属材料からなり、前記柱部材１８同士が互いに平行するように当該柱部材１８間に架設される複数(図２に示す例の場合３つ)の梁部材２０とで構成されている。又、この支柱１２，１４は、その上部が門扉１６の上端よりも上方へと突出して突出部２２が形成されている。
【００１７】
さらに、柱部材１８を梁部材２０で連結して構成された支柱１２，１４には、支柱１２，１４同士が対面する内側表面の幅方向両端部に、当該端部を形成する側壁が前方へと突出し、且つ中心に向けて曲成されたＬ字条係止片２４が、長手方向(上下方向)全体に亘って設けられている。
【００１８】
そして、このＬ字条係止片２４のうち、突出部２２に設けられた部分(溝部分)には、平面広角ミラーＭの左右両辺部が上下方向にスライド可能な状態で嵌め込まれている。換言すれば、支柱１２，１４の突出部２２の内側表面に平面広角ミラーＭが、高さ調整可能に添着されている。
【００１９】
平面広角ミラーＭは、上述したように平面状でありながら凸面鏡のように広範囲(広角)の像を映し出すことができるミラーであり、本実施例では、透明で且つ平坦なアクリル樹脂からなる平板の一方の面にフレネルレンズ構造を形成し、この面の表面に金属薄膜層を形成した物を用いている。この平面広角ミラーＭは、支柱１２，１４の幅と略等しい幅で形成されており、上述したように、その左右両辺部が突出部２２のＬ字条係止片２４内にスライド可能な状態で嵌め込まれている。本実施例においては、この平面広角ミラーＭが、戸当り側の支柱１２と吊元側の支柱１４との両方に取り付けられている（図１参照）。
【００２０】
なお、図２及び図３中の「符号２６」は、Ｌ字条係止片２４に沿って柱部材１８の内側表面に設けられたスライド溝２８内に装着され、平面広角ミラーＭを所定の高さにて固定する「固定部材」であり、「符号３０」は、この固定部材２６の移動を制御する「調整ネジ」である。
【００２１】
また、戸当り側の支柱１２には、柱部材１８間に架設された架橋部材３２を介して戸当り３４が取り付けられており(図２及び３参照)、吊元側の支柱１４には、図示しない蝶番を介して門扉の一方の側端部が連結されている。
【００２２】
門扉１６は、支柱１２及び１４間に形成された出入口Ｅを開閉する扉であり、本実施例では、この門扉１６としてパンタグラフ構造の伸縮門扉が使用されている。この門扉１６には、図１に示すように複数(図１の例の場合２カ所)のキャスター３６が取り付けられると共に、伸長時の長手方向略中央部の下端には、必要に応じて落し棒３８が設けられる。
【００２３】
なお、門扉１６は、支柱１２及び１４間に形成された出入口Ｅを開閉できるものであれば如何なる態様のものであってもよく、上述の伸縮門扉に限定されるものではない。
【００２４】
以上のように構成された門扉構造１０を設置する際には、まず始めに、敷地内への出入口Ｅ、すなわち玄関口や駐車スペースの出入口などに相当する敷地間口の空間を隔てるようにしてこの敷地間口の左右両端部のそれぞれに戸当り側の支柱１２或いは吊元側の支柱１４を立設する。
【００２５】
続いて、吊元側の支柱１４に図示しない蝶番を介して門扉１６の一端を取り付け、門扉１６に落し棒３８が設けられている場合には、必要に応じて所定位置(例えば出入口Ｅの幅方向略中央部)に落し棒受け４０を埋設する(図１参照)。
【００２６】
そして、例えば出入口Ｅが駐車スペースの場合には、駐車している車の座席に座った状態での視線の高さに合わせて平面広角ミラーＭの高さを調整し、所定の高さに位置決めされた平面広角ミラーＭを固定部材２６で固定するにより、門扉構造１０の設置が完了する。
【００２７】
本実施例の門扉構造１０によれば、支柱１２，１４の突出部２２の内側表面に平面広角ミラーＭが、高さ調整可能に添着されているので、支柱１２，１４間に形成された出入口Ｅを通過する際の視線の高さに合わせて平面広角ミラーＭの設置高さを調整することができ、出入口Ｅを通過する際の死角をより確実に解消することができる。
【００２８】
また、支柱１２，１４の突出部２２における内側表面の幅方向両端部に設けられたＬ字条係止片２４に、平面広角ミラーＭの左右両辺部がそれぞれ嵌め込まれているので、平面広角ミラーＭが支柱１２，１４の表面から不必要に出っ張るのが抑えられ且つ平面広角ミラーＭと支柱１２，１４とが一体化されている。このため、係る支柱１２，１４を有する門扉構造１０では、より一層意匠性に優れたものとなるのに加え、出入口Ｅを通過する人や車等のみならず平面広角ミラーＭ自体も人や車等がぶつかって破損しないように保護することができる。
【００２９】
なお、上述の実施例では、支柱１２及び１４が、一対の柱部材１８と複数の梁部材２０とで構成されている場合を示したが、この支柱１２及び１４は、門扉１６の吊元及び戸当りとして機能でき、しかも平面広角ミラーＭを添着できるようなものであれば如何なる形状であってもよく、例えば１本の柱状の部材などであってもよい。又、Ｌ字条係止片２４を支柱１２，１４の長手方向全体に設ける場合を示したが、このＬ字条係止片２４を突出部２２にのみ設けるようにしてもよいし、必要がなければ設けないようにしてもよい。
【００３０】
また、上述の例では、戸当り側の支柱１２及び吊元側の支柱１４のそれぞれに平面広角ミラーＭを取り付ける場合を示したが、この平面広角ミラーＭは死角解消に必要な箇所にのみ取り付ければよく、場合によっては支柱１２又は１４の何れか一方にのみ平面広角ミラーＭを取り付けるようにしてもよい。
【００３１】
さらに、上述の実施例では、突出部２２のＬ字条係止片２４に嵌め込まれた平面広角ミラーＭが該Ｌ字条係止片２４に沿って上下方向にスライド移動する場合を示したが、支柱１２，１４の突出部２２の内側表面に平面広角ミラーＭが高さ調整可能に添着されるものであれば、その態様は如何なるものであってもよく、例えば(図示しないが)、突出部２２を支柱１２，１４とは別体で構成すると共に、この別体で構成された突出部２２に平面広角ミラーＭを添着・固定し、平面広角ミラーＭが固定された突出部２２を支柱１２，１４に対して相対的に上下移動するようにしてもよい。
【符号の説明】
【００３２】
１０…門扉構造
１２…(戸当り側の)支柱
１４…(吊元側の)支柱
１６…門扉
１８…柱部材
２０…梁部材
２２…突出部
２４…Ｌ字条係止片
２６…固定部材
２８…スライド溝
３０…調整ネジ
３２…架橋部材
３４…戸当り
３６…キャスター
３８…落し棒
４０…落し棒受け
Ｍ…平面広角ミラー
Ｅ…出入口
【図１】
0005399321.tif 000002
【図２】
0005399321.tif 000003
【図３】
0005399321.tif 000004